(57)【要約】【課題】被検眼の撮影を行う際に、最大撮影可能範囲との関係で、より広範囲に亘る撮影画像を取得できる仕組みを提供する。【解決手段】被検眼Ｅからの測定光の戻り光に基づいて被検眼Ｅの撮影に係る撮影画像を生成する画像生成部１６１と、画像生成部１６１で生成された撮影画像を表示部１８０に表示する制御を行う表示制御部１６２と、フォーカス調整手段１３４によるフォーカスの調整に基づき定まる最大撮影可能範囲に応じて、被検眼Ｅの撮影範囲として、指定された矩形範囲である第１の撮影範囲、及び、指定された矩形範囲よりも範囲が狭く且つ最大撮影可能範囲に基づく曲線の部分を含む第２の撮影範囲のうちのいずれか一方の撮影範囲を設定する範囲設定部１６３を備える。【選択図】図１
2018068759.tif 000002
【特許請求の範囲】
【請求項１】
光源から出射された光に基づく測定光を被検眼に対して２次元走査を行う走査手段と、
前記被検眼への前記測定光におけるフォーカスを調整するフォーカス調整手段と、
前記被検眼からの前記測定光の戻り光に基づいて、前記被検眼の撮影に係る撮影画像を生成する画像生成手段と、
前記画像生成手段で生成された撮影画像を表示部に表示する制御を行う表示制御手段と、
前記フォーカス調整手段による前記フォーカスの調整に基づき定まる最大撮影可能範囲に応じて、前記被検眼の撮影範囲として、指定された矩形範囲である第１の撮影範囲、及び、指定された矩形範囲よりも範囲が狭く且つ前記最大撮影可能範囲に基づく曲線の部分を含む第２の撮影範囲のうちのいずれか一方の撮影範囲を設定する設定手段と
を有することを特徴とする眼科撮影装置。
【請求項２】
前記走査手段は、略円形状のレンズを介して前記測定光を前記被検眼に対して２次元走査を行うものであり、
前記画像生成手段は、前記略円形状のレンズ及び前記走査手段を介して通過した前記戻り光に基づいて前記撮影画像を生成するものであり、
前記第２の撮影範囲は、前記略円形状のレンズの形状に基づく前記曲線の部分を含む範囲であることを特徴とする請求項１に記載の眼科撮影装置。
【請求項３】
前記画像生成手段は、前記設定手段により前記第２の撮影範囲が設定された場合、前記矩形範囲のうちの当該第２の撮影範囲の範囲外の部分を所定値でマスクした前記撮影画像を生成することを特徴とする請求項１または２に記載の眼科撮影装置。
【請求項４】
前記画像生成手段は、前記設定手段により前記第２の撮影範囲が設定された場合、前記矩形範囲のうちの当該第２の撮影範囲の範囲外の部分の大きさが所定の閾値よりも大きいときには、当該部分については当該部分の光に基づき前記撮影画像を生成することを特徴とする請求項１または２に記載の眼科撮影装置。
【請求項５】
前記表示制御手段は、前記設定手段により設定された撮影範囲に基づく前記撮影画像を前記表示部に表示する制御を行うことを特徴とする請求項１乃至４のいずれか１項に記載の眼科撮影装置。
【請求項６】
前記測定光の光量を制御する光量制御手段を更に有し、
前記光量制御手段は、前記設定手段により前記第２の撮影範囲が設定された場合、前記走査手段が当該第２の撮影範囲の範囲外を走査する期間のうちの少なくとも一部の期間における前記光量を減少させる制御を行うことを特徴とする請求項１乃至５のいずれか１項に記載の眼科撮影装置。
【請求項７】
前記画像生成手段は、前記被検眼の観察を行うための観察光学系から出力された観察光に基づいて、観察画像を更に生成するものであり、
前記表示制御手段は、前記設定手段により設定された撮影範囲を前記観察画像に重畳させて前記表示部に表示する制御を更に行うことを特徴とする請求項１乃至６のいずれか１項に記載の眼科撮影装置。
【請求項８】
前記光源から出射された光を前記測定光と参照光とに分割する光分割手段と、
前記戻り光と前記参照光とを合波する合波手段と、
を更に有し、
前記画像生成手段は、前記合波手段により合波された干渉光に基づいて、前記撮影画像として断層画像を生成することを特徴とする請求項１乃至７のいずれか１項に記載の眼科撮影装置。
【請求項９】
前記表示制御手段は、前記走査手段が前記２次元走査としてラスタ走査を行う場合、前記走査手段が前記設定手段により設定された撮影範囲を主走査方向に走査することによって得られる前記断層画像であって、当該撮影範囲の副走査方向における中心の位置と両端の位置との少なくとも３つの断層画像を並べて前記表示部に表示する制御を行うことを特徴とする請求項８に記載の眼科撮影装置。
【請求項１０】
前記設定手段は、前記走査手段が前記２次元走査としてラスタ走査を行う場合、前記矩形範囲を前記最大撮影可能範囲に外接するまで設定可能とすることを特徴とする請求項１乃至９のいずれか１項に記載の眼科撮影装置。
【請求項１１】
前記走査手段は、前記２次元走査として、ラスタ走査またはラジアル走査を行うことを特徴とする請求項１乃至８のいずれか１項に記載の眼科撮影装置。
【請求項１２】
光源から出射された光に基づく測定光を被検眼に対して２次元走査を行う走査手段と、前記被検眼への前記測定光におけるフォーカスを調整するフォーカス調整手段とを備える眼科撮影装置の制御方法であって、
前記被検眼からの前記測定光の戻り光に基づいて、前記被検眼の撮影に係る撮影画像を生成する画像生成ステップと、
前記画像生成ステップで生成された撮影画像を表示部に表示する制御を行う表示制御ステップと、
前記フォーカス調整手段による前記フォーカスの調整に基づき定まる最大撮影可能範囲に応じて、前記被検眼の撮影範囲として、指定された矩形範囲である第１の撮影範囲、及び、指定された矩形範囲よりも範囲が狭く且つ前記最大撮影可能範囲に基づく曲線の部分を含む第２の撮影範囲のうちのいずれか一方の撮影範囲を設定する設定ステップと
を有することを特徴とする眼科撮影装置の制御方法。
【発明の詳細な説明】
【技術分野】
【０００１】
本発明は、被検眼の撮影を行う眼科撮影装置及びその制御方法に関するものである。
【背景技術】
【０００２】
現在、眼科撮影装置として、光波の干渉を利用したＯＣＴ（Ｏｐｔｉｃａｌ  Ｃｏｈｅｒｅｎｃｅ  Ｔｏｍｏｇｒａｐｈｙ）による光干渉断層撮影装置（以下、「ＯＣＴ装置」と称する）が眼科分野で診断などにおいて広く利用されている。このＯＣＴ装置では、光源からの低コヒーレンス光を測定光と参照光とに分岐させ、当該測定光を被検眼に照射するようにしている。その後、ＯＣＴ装置では、被検眼から得られる測定光の後方散乱光（以下、「戻り光」と称する）と参照光とを干渉させ、干渉により得られた干渉光から被検眼のある位置での断層画像を取得することができる。
【０００３】
このＯＣＴ装置において、波長可変光源を用いることにより高深達な画像を取得できることが知られている（特許文献１）。高深達な画像を取得しようとすると、被検眼によっては、被検眼の眼底部から赤道部周辺までを一度に撮影することが可能となる。
【先行技術文献】
【特許文献】
【０００４】
【特許文献１】特開２０１５−１０２５３７号公報
【発明の概要】
【発明が解決しようとする課題】
【０００５】
従来の眼科撮影装置では、被検眼を一度に撮影する範囲を広くしようとすると、最大撮影可能範囲との関係で、撮影画像を取得する撮影範囲が大幅に制限されてしまうという問題があった。
【０００６】
本発明は、このような問題点に鑑みてなされたものであり、被検眼の撮影を行う際に、最大撮影可能範囲との関係で、より広範囲に亘る撮影画像を取得できる仕組みを提供することを目的とする。
【課題を解決するための手段】
【０００７】
本発明の眼科撮影装置は、光源から出射された光に基づく測定光を被検眼に対して２次元走査を行う走査手段と、前記被検眼への前記測定光におけるフォーカスを調整するフォーカス調整手段と、前記被検眼からの前記測定光の戻り光に基づいて、前記被検眼の撮影に係る撮影画像を生成する画像生成手段と、前記画像生成手段で生成された撮影画像を表示部に表示する制御を行う表示制御手段と、前記フォーカス調整手段による前記フォーカスの調整に基づき定まる最大撮影可能範囲に応じて、前記被検眼の撮影範囲として、指定された矩形範囲である第１の撮影範囲、及び、指定された矩形範囲よりも範囲が狭く且つ前記最大撮影可能範囲に基づく曲線の部分を含む第２の撮影範囲のうちのいずれか一方の撮影範囲を設定する設定手段とを有する。
また、本発明は、上述した眼科撮影装置の制御方法を含む。
【発明の効果】
【０００８】
本発明によれば、被検眼の撮影を行う際に、最大撮影可能範囲との関係で、より広範囲に亘る撮影画像を取得することができる。
【図面の簡単な説明】
【０００９】
【図１】本発明の実施形態に係る眼科撮影装置の概略構成の一例を示す図である。
【図２】図１の表示制御部によって表示部に表示される第１の表示画面の一例を示す図である。
【図３】図１の表示制御部によって表示部に表示される第２の表示画面の一例を示す図である。
【発明を実施するための形態】
【００１０】
以下に、図面を参照しながら、本発明を実施するための形態（実施形態）について説明する。
【００１１】
図１は、本発明の実施形態に係る眼科撮影装置１００の概略構成の一例を示す図である。この眼科撮影装置１００は、被検眼Ｅ（具体的に、本実施形態においては被検眼Ｅの眼底Ｅｒ）の撮影を行う装置である。なお、図１において、被検眼Ｅは、眼球を側面からみた断面を示している。また、眼科撮影装置１００としては、例えば、上述したＯＣＴ装置を適用することができる。
【００１２】
眼科撮影装置１００は、図１に示すように、光源１１０、光量調整部１２０、光学ヘッド部１３０、制御・処理部１６０、入力部１７０、及び、表示部１８０を有して構成されている。
【００１３】
眼科撮影装置１００では、光学ヘッド部１３０の各光学要素により、光路Ｌ１〜Ｌ４が構成される。この際、光路Ｌ１〜Ｌ４を通過する光は、光ファイバを通して伝搬するものと、光学部材を介して空中を伝搬するものがある。
【００１４】
光路Ｌ１には、光源１１０及び光量調整部１２０が配置されている。
光源１１０は、制御・処理部１６０の制御に基づいて、光を出射する。
光量調整部１２０は、光源１１０から出射された光の光量を調整する。この光量調整部１２０は、光を空中へ伝搬するファイバ端１２１、ファイバ端１２１から出射した光の光量を調整するための光学部材１２２，１２３，１２４、及び、光学部材１２４を通過した光を光学ヘッド部１３０に導くためのファイバ端１２５を有している。
【００１５】
次に、光学ヘッド部１３０について説明する。
カプラ１３１は、光量調整部１２０から出力された光を測定光と参照光とに分割（分岐）する光分割手段である。カプラ１３１で分割された測定光は、光路Ｌ２を通り、被検眼Ｅの眼底Ｅｒに導かれる。
【００１６】
測定光に係る光路Ｌ２について説明する。
具体的に、カプラ１３１で分割された測定光は、ファイバ端１３２により空中へ伝搬し、光学部材１３３及び１３４を介して、シャッタ１３５に到達する。ここで、光学部材１３４は、被検眼Ｅの眼底Ｅｒへの測定光における被検眼Ｅの屈折異常を補正するためのフォーカスを調整するためのフォーカス調整手段であり、具体的にはフォーカスレンズである。この光学部材１３４は、制御・処理部１６０の制御に基づいて、その位置が移動可能に構成されている。また、シャッタ１３５は、制御・処理部１６０の制御に基づいてシャッタ駆動機構１３６により駆動される。
【００１７】
シャッタ１３５を通過した測定光は、ガルバノスキャナ１３７及び１３８に到達する。このガルバノスキャナ１３７及び１３８は、制御・処理部１６０の制御に基づいて、測定光を被検眼Ｅの眼底Ｅｒに対して２次元走査を行う走査手段である。本実施形態においては、ガルバノスキャナ１３７及び１３８は、それぞれ、被検眼Ｅの眼底Ｅｒに対して、Ｘ方向及びＹ方向に２次元走査する。
【００１８】
ガルバノスキャナ１３７及び１３８を通過した測定光は、ミラー１３９、リレーレンズ１４０、ミラー１４１及び１４２を介して、対物レンズ１４３により、被検眼Ｅｒの眼底Ｅｒに導かれる。ここで、本実施形態においては、対物レンズ１４３（更にはリレーレンズ１４０）は、略円形状のレンズで構成されているものとする。
【００１９】
被検眼Ｅの眼底Ｅｒに到達した測定光は、眼底Ｅｒで拡散・反射等して、戻り光となる。そして、測定光の戻り光は、光路Ｌ２を辿ってカプラ１３１に戻り、その後、カプラ１５０に到達する。
【００２０】
続いて、参照光に係る光路Ｌ３について説明する。
具体的に、カプラ１３１で分割された参照光は、ファイバ端１４４により空中へ伝搬し、光学部材１４５、光量を調整するための光学部材１４６を介して、光路Ｌ３の光路長を変更するための参照ミラー１４７に到達する。この参照ミラー１４７は、制御・処理部１６０の制御に基づいて、その位置が移動可能に構成されている。そして、参照ミラー１４７で反射した参照光は、光学部材１４８を介して、ファイバ端１４９から、カプラ１５０に導かれる。
【００２１】
カプラ１５０は、カプラ１３１から導かれた測定光の戻り光とファイバ端１４９から導かれた参照光とを合波する合波手段である。そして、カプラ１５０により合波された干渉光は、分岐して光路Ｌ４を通過し、差動検知部１５１に導かれる。差動検知部１５１は、干渉光を電気信号であるＯＣＴ干渉信号として検知する。Ａ／Ｄ変換部１５２は、差動検知部１５１で得られたアナログのＯＣＴ干渉信号をデジタルのＯＣＴ干渉信号に変換し、これを制御・処理部１６０に出力する。
【００２２】
また、光学ヘッド部１３０には、被検眼Ｅの眼底Ｅｒの観察を行うための観察光学系１５３も設けられている。
【００２３】
制御・処理部１６０は、例えば入力部１７０から入力された入力情報等に基づいて、眼科撮影装置１００における動作を統括的に制御するとともに、各種の処理を行う。例えば、制御・処理部１６０は、入力部１７０から入力された撮影条件に基づいて、光源１１０や光学ヘッド部１３０を制御する。この制御・処理部１６０は、画像生成部１６１、表示制御部１６２、範囲設定部１６３、及び、光量制御部１６４を有して構成されている。
【００２４】
画像生成部１６１は、被検眼Ｅの眼底Ｅｒからの測定光の戻り光（具体的には、対物レンズ１４３等の略円形状のレンズ並びにガルバノスキャナ１３７及び１３８を介して通過した戻り光）に基づいて、被検眼Ｅの眼底Ｅｒの撮影に係る撮影画像を生成する。本実施形態においては、画像生成部１６１は、Ａ／Ｄ変換部１５２から出力されたＯＣＴ干渉信号に対して、各種の信号処理（例えば、フーリエ変換などの周波数解析処理等）を行って、撮影画像として断層画像を生成する。さらに、画像生成部１６１は、観察光学系１５３から出力された観察光に基づいて、観察画像を生成する。本実施形態においては、画像生成部１６１は、観察画像として眼底正面画像を生成する。
【００２５】
表示制御部１６２は、画像生成部１６１で生成された撮影画像及び観察画像を含む各種の画像や各種の情報を表示部に表示する制御を行う。
【００２６】
範囲設定部１６３は、ガルバノスキャナ１３７及び１３８による２次元走査範囲や、最大撮影可能範囲、ユーザが撮影を所望する範囲として指定したユーザ指定範囲、画像生成部１６１で撮影画像として撮影する被検眼Ｅの眼底Ｅｒの撮影範囲等を設定する。
【００２７】
光量制御部１６４は、光源１１０から出射する光の光量を制御する。
【００２８】
入力部１７０は、例えば、ユーザにより操作入力された入力情報や、通信回線を介して外部装置から入力された入力情報を制御・処理部１６０に入力する。
【００２９】
表示部１８０は、制御・処理部１６０（具体的には、表示制御部１６２）の制御に基づいて、各種の画像や各種の情報を表示する。
【００３０】
次に、制御・処理部１６０の各構成部１６１〜１６４の詳細な処理について説明する。
【００３１】
図２は、図１の表示制御部１６２によって表示部１８０に表示される第１の表示画面の一例を示す図である。
【００３２】
図２に示す第１の表示画面には、表示制御部１６２の表示制御によって、表示領域２１０に、範囲設定部１６３で設定された各種の範囲２１１〜２１４が表示されている。
【００３３】
具体的に、２次元走査範囲２１１は、ガルバノスキャナ１３７及び１３８によって、水平方向のＸ方向と鉛直方向のＹ方向に２次元走査する範囲を示している。ここでは、２次元走査として、Ｘ方向（水平方向）を主走査方向とし、Ｙ方向（鉛直方向）を副走査方向とするラスタ走査を行う場合を想定している。
【００３４】
最大撮影可能範囲２１２は、フォーカス調整手段である光学部材１３４によるフォーカスの調整に基づき定まる範囲である。より具体的に、最大撮影可能範囲２１２は、参照ミラー１４７の位置に基づく光学部材１３４の位置によって定められる範囲であり、その情報は、ガルバノスキャナ１３７及び１３８の操作位置ごとに予め制御・処理部１６０に記憶されているものとする。また、この最大撮影可能範囲２１２は、対物レンズ１４３等の略円形状のレンズの形状に基づく略円形状の範囲となっている。
【００３５】
ユーザ指定範囲２１３は、ユーザが入力部１７０を介して撮影を所望する範囲として指定した矩形範囲を示している。
【００３６】
撮影範囲２１４は、画像生成部１６１で撮影画像として撮影する被検眼Ｅの眼底Ｅｒの撮影範囲（斜線部）を示している。
【００３７】
図２に示す例では、ユーザ指定範囲２１３は、最大撮影可能範囲２１２に含まれるため、範囲設定部１６３は、被検眼Ｅの眼底Ｅｒの撮影範囲として、ユーザ指定範囲２１３と同様の矩形範囲である撮影範囲２１４（第１の撮影範囲）を設定する様子を示している。
【００３８】
ここで、本実施形態においては、表示制御部１６２は、例えば２次元走査範囲２１１に、画像生成部１６１で生成された観察画像（眼底正面画像）を表示するものとする。即ち、表示制御部１６２は、範囲設定部１６３で設定された撮影範囲２１４（更には範囲２１１〜２１３）を観察画像に重畳させて表示部１８０に表示する制御を行う。
【００３９】
さらに、図２に示す第１の表示画面において、表示制御部１６２は、ガルバノスキャナ１３７及び１３８が撮影範囲２１４を主走査方向（Ｘ方向（水平方向））に走査することによって得られる撮影画像（断層画像）２２０〜２４０を表示部１８０に表示する。具体的に、図２に示す例では、撮影範囲２１４の副走査方向（Ｙ方向（鉛直方向））における中心の位置Ｌｉｎｅ２で得られた撮影画像２３０と、撮影範囲２１４の副走査方向における両端の位置Ｌｉｎｅ１及びＬｉｎｅ３で得られた撮影画像２２０及び２４０を表示する例を示している。これらの撮影画像２２０〜２４０は、撮影範囲２１４（第１の撮影範囲）が矩形範囲であるユーザ指定範囲２１３と一致しているため、全てのデータが撮影対象である眼底Ｅｒを表示したものとなる。
【００４０】
図３は、図１の表示制御部１６２によって表示部１８０に表示される第２の表示画面の一例を示す図である。
【００４１】
図３に示す第２の表示画面には、表示制御部１６２の表示制御によって、表示領域３１０に、範囲設定部１６３で設定された各種の範囲３１１〜３１４が表示されている。
【００４２】
具体的に、２次元走査範囲３１１は、図２の２次元走査範囲２１１と同様に、ガルバノスキャナ１３７及び１３８によって、水平方向のＸ方向と鉛直方向のＹ方向に２次元走査する範囲を示している。ここでは、２次元走査として、Ｘ方向（水平方向）を主走査方向とし、Ｙ方向（鉛直方向）を副走査方向とするラスタ走査を行う場合を想定している。
【００４３】
最大撮影可能範囲３１２は、フォーカス調整手段である光学部材１３４によるフォーカスの調整に基づき定まる範囲である。より具体的に、最大撮影可能範囲３１２は、参照ミラー１４７の位置に基づく光学部材１３４の位置によって定められる範囲であり、その情報は、ガルバノスキャナ１３７及び１３８の操作位置ごとに予め制御・処理部１６０に記憶されているものとする。また、この最大撮影可能範囲３１２は、対物レンズ１４３等の略円形状のレンズの形状に基づく略円形状の範囲となっている。より詳細に、最大撮影可能範囲３１２は、例えばユーザからの入力情報によって図２に示す状態から光学部材１３４の位置が移動し、図２に示す最大撮影可能範囲２１２よりも小さくなったものとなっている。
【００４４】
ユーザ指定範囲３１３は、図２のユーザ指定範囲２１３と同様に、ユーザが入力部１７０を介して撮影を所望する範囲として指定した矩形範囲を示している。
【００４５】
撮影範囲３１４は、画像生成部１６１で撮影画像として撮影する被検眼Ｅの眼底Ｅｒの撮影範囲（斜線部）を示している。
【００４６】
図３に示す例では、ユーザ指定範囲３１３には、最大撮影可能範囲３１２に含まれない部分が存在している。このため、範囲設定部１６３は、被検眼Ｅの眼底Ｅｒの撮影範囲として、矩形範囲であるユーザ指定範囲３１３よりも範囲が狭く且つ最大撮影可能範囲３１２に基づく曲線（円弧）の部分を含む撮影範囲３１４（第２の撮影範囲）を設定する様子を示している。
【００４７】
ここで、本実施形態においては、表示制御部１６２は、例えば２次元走査範囲３１１に、画像生成部１６１で生成された観察画像（眼底正面画像）を表示するものとする。即ち、表示制御部１６２は、範囲設定部１６３で設定された撮影範囲３１４（更には範囲３１１〜３１３）を観察画像に重畳させて表示部１８０に表示する制御を行う。
【００４８】
さらに、図３に示す第２の表示画面において、表示制御部１６２は、ガルバノスキャナ１３７及び１３８が撮影範囲３１４を主走査方向（Ｘ方向（水平方向））に走査することによって得られる撮影画像（断層画像）３２０〜３４０を表示部１８０に表示する。具体的に、図３に示す例では、撮影範囲３１４の副走査方向（Ｙ方向（鉛直方向））における中心の位置Ｌｉｎｅ２で得られた撮影画像３３０と、撮影範囲３１４の副走査方向における両端の位置Ｌｉｎｅ１及びＬｉｎｅ３で得られた撮影画像３２０及び３４０を表示する例を示している。このうち、撮影画像３３０及び３４０は、それぞれ、撮影範囲３１４における位置Ｌｉｎｅ２及びＬｉｎｅ３が最大撮影可能範囲３１２に含まれているため、その全てのデータが撮影対象である眼底Ｅｒを表示したものとなる。
【００４９】
一方、撮影範囲３１４が最大撮影可能範囲３１２の円弧で切り取られる部分があるため、撮影範囲３１４における位置Ｌｉｎｅ１の両端部分が最大撮影可能範囲３１２に含まれていないものとなっている。このため、撮影画像３２０は、最大撮影可能範囲３１２に含まれている部分のみのデータが撮影対象である眼底Ｅｒを表示したものとなっている。即ち、撮影画像３２０において、矩形範囲であるユーザ指定範囲３１３のうちの撮影範囲３１４の範囲外の部分３２１は、撮影対象である眼底Ｅｒを表示したものとなっていないことになる。この場合、例えば、画像生成部１６１は、矩形範囲であるユーザ指定範囲３１３のうちの撮影範囲３１４の範囲外の部分３２１を所定値でマスクした撮影画像３２０を生成する。
【００５０】
なお、本実施形態においては、部分３２１を所定値でマスク処理する態様に限定されるものではない。例えば、画像生成部１６１は、部分３２１の大きさが所定の閾値よりも大きいときには、当該部分３２１については当該部分３２１の測定光に基づき撮影画像３２０を生成する態様であってもよい。このように処理することにより、違和感の少ない撮影画像３２０を生成することができる。
【００５１】
また、図３に示す撮影範囲３１４が設定された場合、光量制御部１６４は、例えば、ガルバノスキャナ１３７及び１３８が撮影範囲３１４の範囲外を走査する期間のうちの少なくとも一部の期間において光源１１０からの光の光量を減少（消灯も含む）させる制御を行う。これにより、撮影画像として取得しない部分の走査の際に、測定光の光量を減少させることができるため、撮影に不要な光の被検眼Ｅに対する影響を低減させることができる。
【００５２】
また、制御・処理部１６０は、例えば、ガルバノスキャナ１３７及び１３８が撮影範囲３１４の範囲外を走査する場合、シャッタ１３５を操作して撮影を実施してもよい。
【００５３】
また、本実施形態においては、範囲設定部１６３は、ガルバノスキャナ１３７及び１３８が２次元走査（ラスタ走査）を行う場合、矩形範囲であるユーザ指定範囲３１３を最大撮影可能範囲３１２に外接するまで設定可能とする。
【００５４】
また、図２及び図３に示す例では、表示制御部１６２は、３つの撮影画像を並べて表示する例を示したが、本実施形態においては、例えば、４つ以上の撮影画像を並べて表示するようにしてもよい。
【００５５】
また、本実施形態においては、２次元走査として、ラスタ走査を行う場合について説明を行ったが、本発明においてはこれに限定されるものではなく、例えば、ラジアル走査を行うようにしてもよい。また、２次元走査としてラスタ走査及びラジアル走査の両方を走査可能とし、制御・処理部１６０が入力部１７０から入力された入力情報に基づいてどちらか一方の走査方法を選択して撮影を行うようにしてもよい。
【００５６】
図３に示す撮影画像３２０は、部分３２１に応じて、当該撮影画像３２０の表示倍率を変更し、例えば他の撮影画像３３０及び３４０とデータの表示領域を同じにしてもよい。また、各撮影画像の領域に応じて、表示画面上での表示領域を変更してもよい。
【００５７】
また、図１に示す眼科撮影装置１００では、マッハツェンダ干渉計を想定したものとしているが、本実施形態においてはこれに限定されるものではなく、例えば、マイケルソン干渉計を想定したものであってもよい。また、図１に示す眼科撮影装置１００では、参照光の光路長を変更するように構成しているが、本実施形態においてはこれに限定されるものではなく、例えば、測定光の光路長を変更するように構成してもよい。
【００５８】
また、本実施形態においては、被検眼Ｅの撮影対象部位として眼底Ｅｒを適用した場合について説明を行ったが、本発明においてはこれに限定されるものではなく、例えば、被検眼Ｅの撮影対象部位として前眼部を適用することも可能である。
【００５９】
本実施形態に係る眼科撮影装置１００では、範囲設定部１６３において、最大撮影可能範囲に応じて、被検眼Ｅの撮影範囲として、指定された矩形範囲である撮影範囲２１４（第１の撮影範囲）、及び、指定された矩形範囲よりも範囲が狭く且つ最大撮影可能範囲に基づく曲線の部分を含む撮影範囲３１４（第２の撮影範囲）のうちのいずれか一方の撮影範囲を設定するようにしている。
かかる構成によれば、最大撮影可能範囲に応じて、矩形範囲である撮影範囲のみならず、最大撮影可能範囲に基づく曲線の部分を含む撮影範囲を設定することができる。これにより、図３に示す最大撮影可能範囲３１２に内接する矩形範囲よりも広い撮影範囲３１４を設定することができるため、より広範囲に亘る撮影画像を取得することが可能となる。
【００６０】
（その他の実施形態）
本発明は、上述の実施形態の１以上の機能（例えば制御・処理部１６０の機能）を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【００６１】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、または、その主要な特徴から逸脱することなく、様々な形で実施することができる。
【符号の説明】
【００６２】
１００：眼科撮影装置、１１０：光源、１２０：光量調整部、１３０：光学ヘッド部、１６０：制御・処理部、１６１：画像生成部、１６２：表示制御部、１６３：範囲設定部、１６４：光量制御部、１７０：入力部、１８０：表示部
【図１】
2018068759.tif 000003
【図２】
2018068759.tif 000004
【図３】
2018068759.tif 000005